(57)【要約】【課題】ウイング部が下着の股下部側縁に沿って柔軟に折れ曲がり易く、容易且つ迅速に下着に固定することができると共に、下着の防汚性にも優れた吸収性物品を提供すること。【解決手段】  吸収層１１及び防漏層１６を有する吸収性本体１１と、排泄部対向部Ａにおける吸収性本体１１の両側に設けられた一対のウイング部２，２とを有する吸収性物品において、一対のウイング部２，２それぞれの形状が、各ウイング部２の先端の縁部２７の中点２７ｃを通る幅方向横断線ＴＬの前後で非対称である。【選択図】図３
2008012098.tif 000002
【特許請求の範囲】
【請求項１】
吸収層及び防漏層を有する吸収性本体と、排泄部対向部における該吸収性本体の両側に設けられた一対のウイング部とを有する吸収性物品において、
一対のウイング部それぞれの形状が、各ウイング部の先端の縁部の中点を通る幅方向横断線の前後で非対称である吸収性物品。
【請求項２】
一対のウイング部それぞれの基端は、前記幅方向横断線より後方に位置する部分の長さが、該幅方向横断線より前方に位置する部分の長さより長い請求項１記載の吸収性物品。
【請求項３】
一対のウイング部それぞれは、吸収性物品長手方向後側の縁部の、前記吸収性本体の長手方向に対する傾斜角度が、吸収性物品長手方向前側の縁部の、該吸収性本体の長手方向に対する傾斜角度よりも小さい請求項１又は２記載の吸収性物品。
【請求項４】
一対のウイング部それぞれの吸収性物品長手方向後側の縁部は、ウイング部先端側から基端に近づくに連れて、前記吸収性本体の長手方向に対する傾斜が緩やかになっている請求項１〜３の何れかに記載の吸収性物品。
【請求項５】
一対のウイング部それぞれの吸収性物品長手方向後側の縁部は、連続波状になされている請求項１〜４記載の吸収性物品。
【発明の詳細な説明】
【技術分野】
【０００１】
本発明は、生理用ナプキン、パンティライナー（おりものシート）、失禁パッド等の吸収性物品に関する。
【背景技術】
【０００２】
従来、ウイング部を備えた生理用ナプキン等の吸収性物品が広く知られている。
この種の吸収性物品におけるウイング部は、通常、その片面に粘着部が設けられており、使用の際に、ショーツ等の下着の股下部の側縁に沿って該下着の非肌対向面側に折り曲げられ、該粘着部を介して下着の非肌対向面に固定される。また、一方のウイング部に、他方のウイング部に対して止着可能な止着手段を設け、両ウイング部それぞれを股下部側縁に沿って折り曲げ、両ウイング部を下着の非肌当接面側において互いに連結することで、該下着の股下部に固定するようにした吸収性物品も知られている。
【０００３】
このようなウイング部は、着用中に、吸収性物品と下着との間に位置ずれが生じるのを防止したり、経血等の体液により下着が汚れることを防止したりするものである。
尚、下着の非肌対向面は、典型的には、下着の外表面であるが、股下部がショーツの外表面をなす外層シートとその内側に一部が外層シートから離間するように設けられた装着部との２重構造を有するもの等においては、該装着部の外層シート側の面が下着の非肌対向面である。
【０００４】
特許文献１には、吸収体を包被した表被シートの両側に耳片を有し、各耳片の裏面に感圧性接着剤を設けた生理用ナプキンが記載されている。また、特許文献２には、長手方向の一方部の両側に設けられた一対のウイングの裏面と長手方向の他方部の防漏層外面のそれぞれに止着手段を設けた生理用ナプキンが記載されている。更に特許文献３には、ウイング部の前側の縁部寄りの位置に粘着部を設けた生理用ナプキンが記載されている。
【０００５】
【特許文献１】実開昭６０−１５８８２８号公報
【特許文献２】実開平４−１０３１１７号公報
【特許文献３】特開２００４−１１３５９１号公報
【発明の開示】
【発明が解決しようとする課題】
【０００６】
しかし、従来のウイング部を有する吸収性物品においては、ウイング部が下着の股下部側縁に沿って折れ曲がりにくいという問題があった。特に下着の防汚性の向上等を目的として、ウイング部を長くした場合には、ウイング部が一層折れ曲がり難くなる。他方、ウイング部の長さを短くすれば、ウイング部が股下部側縁に沿って折れ曲がり易くはなるが、下着の防汚性や防漏性が低下してしまう。
【０００７】
特許文献１記載の生理用ナプキンにおける耳片は、ナプキンの略全長に亘る長さを有しており、ウイング部が下着の股下部側縁に沿って折れ曲がりにくい。特許文献２記載の生理用ナプキンにおけるウイングは、ナプキンの後端部の両側に設けられ、ナプキンをショーツの又部位置に配置してショーツを着用するだけで自然に腰部位置後方の２箇所に止着されるものであり、ショーツの内表面（肌対向面）に固定されるものである。即ち、特許文献２記載の生理用ナプキンにおけるウイングは、本発明における、排泄部対向部に設けられたウイング部に該当しない。特許文献３記載の生理用ナプキンにおけるウイング部は、長さが短く、下着防汚性や防漏性に劣る。
【０００８】
従って、本発明の目的は、ウイング部が下着の股下部側縁に沿って柔軟に折れ曲がり易く、容易且つ迅速に下着に固定することができると共に、下着の防汚性にも優れた吸収性物品を提供することにある。
【課題を解決するための手段】
【０００９】
本発明は、吸収層及び防漏層を有する吸収性本体と、排泄部対向部における該吸収性本体の両側に設けられた一対のウイング部とを有する吸収性物品において、一対のウイング部それぞれの形状が、各ウイング部の先端の縁部の中点を通る幅方向横断線の前後で非対称である吸収性物品を提供することにより前記目的を達成したものである。
【発明の効果】
【００１０】
本発明の吸収性物品は、ウイング部が下着の股下部側縁に沿って柔軟に折れ曲がり易く、容易且つ迅速に下着に固定することができると共に、下着の防汚性にも優れている。
【発明を実施するための最良の形態】
【００１１】
以下、本発明をその好ましい実施形態に基づき図面を参照しながら説明する。
本発明の一実施形態である生理用ナプキン１（以下、単にナプキン１ともいう）は、図１及び図２に示すように、吸収層１２及び防漏層１６を具備する縦長の吸収性本体１１と、該吸収性本体１１の両側に設けられた一対のウイング部２，２とを有する。
【００１２】
吸収層１２は、液透過性の表面シート１３と液保持性の吸収体１４とからなり、防漏層１６は、液不透過性（難透過性も含む概念である）の裏面シートからなる。本実施形態における防漏層１６は、裏面シートのみからなるため、両者に同一の符号１６を付す。
吸収体１４は、表面シート１３と裏面シート１６との間に位置し、これらは一体化されている。液透過性の表面シート１３の長手方向の両側それぞれには、該表面シート１３の側部に一部を重ねるようにして一対のサイド防漏シート１５が連設されている。
【００１３】
一対のサイド防漏シート１５及び裏面シート１６は、それぞれ、吸収体１４の周縁部から外方に延出し、該周縁部の外方においてホットメルト粘着剤により互いに接合されている。また、一対のサイド防漏シート１５及び裏面シート１６は、ナプキン１の周縁部近傍においてヒートシールにより互いに接合されている。
一対のサイド防漏シート１５及び裏面シート１６における、吸収体１４の長手方向の両側縁よりも幅方向外方に延出した部分が、ナプキン１の長手方向の両側それぞれにサイドフラップ１Ｓ，１Ｓを形成している。
【００１４】
ナプキン１は、着用時に着用者の排泄部に対向配置される排泄部対向部Ａと、該排泄部対向部Ａの前後に延在する前方部Ｂ及び後方部Ｃとを有する。ナプキン１の着用時には、前方部Ｂが着用者の前（腹）側に配され、後方部Ｃが着用者の後（背）側に配される。
サイドフラップ１Ｓは、ナプキン１の排泄部対向部Ａ及び後方部Ｃにおいて、ナプキン１の幅方向に大きく膨らんでおり、排泄部対向部Ａにおける吸収性本体１１の両側に一対のウイング部２，２が形成され、後方部Ｃにおける吸収性本体１１の両側に一対の後部フラップ部３，３が形成されている。ナプキン１は、その長手方向におけるウイング部６と後部フラップ部３との境界部付近が細幅に括れている。
【００１５】
図２に示すように、ウイング部２の裏面シート１６側の面には、粘着剤が塗布されてウイング部粘着部２３が形成されている。また、後部フラップ部３の裏面シート１６側の面及び吸収性本体１１の裏面シート１６側の面にもショーツ等の下着の肌対向面（肌側に向けられる面）に止着される後部フラップ粘着部及び本体粘着部（何れも図示略）が形成されている。
ナプキン１を使用する際には、ウイング部６を、ショーツ等の下着の股下部の側縁に沿って該下着の非肌対向面側に折り曲げ、ウイング部粘着部２３を介して、該下着の非肌対向面に固定する。また、後部フラップ部３は、ショーツ等の下着の肌対向面上に配され、後部フラップ部粘着部を介して該下着の肌対向面に固定される。
【００１６】
本実施形態のナプキン１は、図１に示すように、ウイング部２の位置や形状を含めて、吸収性本体１１の長手方向に延びる長手方向中央線Ｌ１に対して左右対称の形状を有している。従って、以下においては、一方のウイング部のみを示す図３を参照して説明する場合もあるが、他方のウイング部についても同様である。
【００１７】
本実施形態のナプキン１におけるウイング部２は、ナプキンの長手方向において相対向する前後一対の縁部２５，２６並びにナプキンの幅方向（ウイング部の延出方向に同じ）において相対向するウイング部先端の縁部２７及びウイング部の基端２８を有している。
【００１８】
本実施形態のナプキン１におけるウイング部２の形状は、図３に示すように、各ウイング部２の先端の縁部２７の中点２７ｃを通る幅方向横断線ＴＬの前後で非対称である。
また、ウイング部２の基端２８は、前記幅方向横断線ＴＬより後方に位置する部分Ｒの長さＬｒが、該幅方向横断線ＴＬより前方に位置する部分Ｆの長さＬｆより長くなっている。
幅方向横断線ＴＬは、長手方向中央線Ｌ１と直交する仮想線である。
【００１９】
ショーツ等の下着の股下部の側縁の形状は、着用者の腹側寄りに配される部分と背側寄りに配される部分とで形状が非対称であり、クロッチ中心付近より、腹側では非常に湾曲が大きく、背側ではなだらかに湾曲している。
ウイング部２の形状を、幅方向横断線ＴＬの前後で非対称とすることにより、ウイング部２が股下部の側縁に沿って折れ曲がり易くなる。即ち、腹側ではショーツの境界部分で折りたたまれ易く、背側ではショーツの湾曲形状に適合して沿うように折り込まれる。
このように、ウイング部２が股下部の側縁に沿って折れ曲がり易いため、本実施形態のナプキンは、ウイングのショーツへの装着性を向上させることができ、ウイング部による下着防汚性、および、ナプキンの固定性が向上することによるヨレ防止性に優れている。
【００２０】
特にウイング部２の基端の幅方向横断線ＴＬより後方の部分Ｒの長さＬｒを前方の部分Ｆの長さＬｆより長くすることで、ウイング部の折れ曲がり易さと、股下部の側縁を長い範囲に亘って被覆することによる良好な下着防汚性及びヨレ防止性とを高めることができる。これらの効果を確実に発現させる観点から、前記後方の部分Ｒの長さＬｒの、前記前方の部分Ｆの長さＬｆに対する比（Ｌｒ／Ｌｆ）は、１．２〜２．５であることが好ましく、より好ましくは１．５〜２．０である。また、ウイング部２の基端２８の長さＬ８は、５〜１５ｃｍであることが好ましく、より好ましくは８〜１２ｃｍである。
【００２１】
また、ウイング部２のナプキン長手方向後側の縁部２６は、図３に示すように、ウイング部先端の縁部２７の後端２７ｒとウイング部基端２８の後端２８ｒとを通る仮想直線Ｌ２より前方に位置するように湾曲している。縁部２６と仮想直線Ｌ２とは交差していない。
他方、ウイング部２のナプキン長手方向前側の縁部２５は、図３に示すように、直線状をなしており、ウイング部先端の縁部２７の前端２７ｆとウイング部基端２８の前端２８ｆとを通る仮想直線Ｌ４とほぼ重なっている。これに代えて、前側の縁部２５も、後側の縁部２６と同様に、該仮想直線Ｌ４より後方に位置するように湾曲させることもできる。
【００２２】
また、ナプキン１におけるウイング部２は、図３に示すように、ナプキン長手方向後側の縁部２６の、吸収性本体１１の長手方向に対する傾斜角度θ１が、ナプキン長手方向前側の縁部２５の、吸収性本体１１の長手方向に対する傾斜角度θ２よりも小さくなっている。
前記後側の縁部２６の傾斜角度θ１を、前記前側の縁部２５の傾斜角度θ２より小さくすることで、ウイング前方部の良好な折れ曲がり性を維持しながら、基端２８の長さを長めにして優れた下着防汚性及び防漏性を得ることができる。前記傾斜角度θ１は３０〜６０度、特に３５〜５０度が好ましく、前記傾斜角度θ２は５５〜８５度、特に６０〜８０度が好ましい。
【００２３】
前記後側の縁部２６の、吸収性本体長手方向に対する傾斜角度θ１は、吸収性本体１１の長手方向中央線Ｌ１又はそれと平行な直線Ｌ１’に対する前記仮想直線Ｌ２の角度である。前記前側の縁部２５の、吸収性本体長手方向に対する傾斜角度θ２は、吸収性本体１１の長手方向中央線Ｌ１又はそれと平行な直線Ｌ１’に対する前記仮想直線Ｌ４の角度である。
【００２４】
また、図３に示すように、ウイング部２より前方に位置する吸収性本体の縁部１１ａとウイング部２の前側の縁部２５とが角部を介さずに曲線で連続している場合、又はウイング部２より後方に位置する吸収性本体の縁部１１ｂとウイング部２の後側の縁部２６とが角部を介さずに曲線で連続している場合、図３に示すように、吸収性本体１１の長手方向中央線Ｌ１又はそれと平行な直線Ｌ１’に対する、ナプキンの周縁部の接線の角度θ３が２０度となる該周縁部上の点を、ウイング部２の基部２８の前端２８ｆ又は後端２８ｒとする。
また、ウイング部２の前側の縁部２５とウイング部先端の縁部２７とが角部を介さずに曲線で連続している場合、又はウイング部２の後側の縁部２６とウイング部先端の縁部２７とが角部を介さずに曲線で連続している場合、図３に示すように、吸収性本体１１の長手方向中央線Ｌ１又はそれと平行な直線Ｌ１’に対する、ナプキン周縁部の接線の角度θ４が４５度となる該周縁部上の点を、ウイング部２の先端の縁部２７の前端２７ｆ又は後端２７ｒとする。
このような場合、ウイング部２の先端の縁部２７の長さＬは、前端２７ｆと後端２７ｒとの間の距離であり、基端２８の長さＬ８は、前端２８ｆと後端２８ｒとの間の距離である。
【００２５】
また、ナプキン１におけるウイング部２のナプキン長手方向後側の縁部２６は、ウイング部先端側から基端２８に近づくに連れて、吸収性本体長手方向に対する傾斜が緩やかになっている。即ち、縁部２６上の点を先端側から基端側に移動させたとき、各点における該縁部２６の接線の、吸収性本体長手方向に対する傾斜角度が、点が先端側から基端に近づくにつれて漸減している。このように、後側の縁部２６の傾斜を基端２８に近づくに連れて緩やかにすることで、ウイングを種々のショーツクロッチ形状に合わせて折り返し、ショーツの外形に沿わせることができる。
尚、ここでいう縁部２６には、縁部２６と先端の縁部２７との境界部近傍は含めない
【００２６】
本発明の吸収性物品においては、図４に示すように、ウイング部２のナプキン長手方向後側の縁部２６が、連続波状になされていることが好ましい。
連続波状とは、前記後側の縁部２６の外方に向かって凹の谷部分２６ａと、該後側の縁部２６より外方に向かって凸の山部分２６ｂとを交互に有する形状であり、谷部分２６ａと山部分２６ｂとをそれぞれ複数有することが好ましい。
後側の縁部２６が連続波状であると、前記後側の縁部２６の外方に向かって凹の谷部分２６ａでショーツクロッチを挟み込むことができる。その結果、ウイング部２が下着の股下部側縁に沿って一層折れ曲がり易くなる。
【００２７】
上述したナプキン１の各部の形成材料としては、この種の吸収性物品に従来用いられている各種の材料を特に制限なく用いることができる。例えば表面シート１３としては親水性の不織布や開孔フィルムなどを用いることができる。裏面シート１６としては、液不透過性の樹脂フィルムや、樹脂フィルムと不織布、織布との積層体などを用いることができる。吸収体１４としては、フラッフパルプの積繊体又はフラッフパルプと高吸収性ポリマーの粒子との混合積繊体をティッシュペーパー等の透水性材料で被覆したもの等を用いることができる。サイド防漏シート１５としては、疎水性や撥水性の液を通しにくいシート材料が好ましく用いられ、エアスルー法、ヒートロール法、スパンボンド法、メルトブロー法で作られた不織布を単独または複合して用いることが好ましく、スパンボンドとメルトブロー不織布を複合化したシート材料が耐水性とシート強度の点から好ましい。ウイング部粘着層２３形成用の粘着剤としては、スチレン−ブタジエン、スチレン−イソプレン系のような各種ホットメルト型粘着剤、各種粘着テープ等を用いることができる。
【００２８】
以上、本発明の一実施形態について説明したが、本発明は上記の実施形態に制限されず、種々の変更可能である。
例えば、図５に示す生理用ナプキンのように、吸収性本体１１の両側縁部それぞれに、ウイング部形成用シート２２を固定して、ウイング部２を形成することもできる。ウイング部２は、伸縮性のシートから構成することもできるが、実質的に非伸縮性のシートから構成することもできる。ウイング部を構成するシートとしては、各種製法による不織布、不織布と樹脂フィルムとの積層体、不織布と紙、織物等との積層体等を用いることができる。尚、本発明においては、ウイング部にシートを蛇腹状の折り曲げてなる拡縮部等を形成する必要もない。図５に示す実施形態においては、表面シート１３の両側部１３ａ，１３ａは、吸収体１４の長手方向両側部を覆うように吸収体１４の裏面シート１６側に巻き下げられており、ウイング部形成用シート２２が、巻き下げられた表面シート１３の両側部１３ａ，１３ａと裏面シート１６との間に挟まれた状態で、これらの両シートに、熱若しくは超音波シール又は接着剤等の公知の接合方法により固定されている。
【００２９】
また、本発明の吸収性物品は、上述したナプキン１のように、後部フラップ部３を有することが、下着の防汚性や防漏性の一層の向上の観点から好ましいが、後部フラップ部３は省略することもできる。また、後部フラップ３は、吸収体を含まないものでも良いが、吸収体を含むものであることが、下着の防汚性や防漏性の一層の向上の観点から好ましい。
また、本発明の吸収性物品は、生理用ナプキンの他、パンティライナー（おりものシート）、失禁パッド等であっても良い。
【図面の簡単な説明】
【００３０】
【図１】図１は、本発明の一実施形態である生理用ナプキンを示す平面図である。
【図２】図２は、図１のＩＩ−ＩＩ線断面を示す断面図である。
【図３】図３は、図１に示す生理用ナプキンのウイング部を示す拡大平面図である。
【図４】図４は、ウイング部の好ましい形態を示すウイング部の拡大平面図である。
【図５】図５は、本発明の更に他の実施形態である生理用ナプキンの幅方向に沿う断面を示す図（図２相当図）である。
【符号の説明】
【００３１】
１  生理用ナプキン（吸収性物品）
１１  吸収性本体
１２  吸収層
１３  表面シート
１４  吸収体
１５  サイド防漏シート
１６  裏面シート（防漏層）
２  ウイング部
２３  ウイング部粘着部
ＴＬ  幅方向横断線
２５  ウイング部の吸収性物品長手方向前側の縁部
２６  ウイング部の吸収性物品長手方向後側の縁部
２７  ウイング部の先端の縁部
２７ｃ  先端の縁部の中点
２７ｒ  先端の縁部の後端
２８  ウイング部の基端
２８ｒ  基端の後端
Ｆ    基端の幅方向横断線より前方に位置する部分
Ｒ    基端の幅方向横断線より後方に位置する部分
Ａ  排泄部対向部
【図１】
2008012098.tif 000003
【図２】
2008012098.tif 000004
【図３】
2008012098.tif 000005
【図４】
2008012098.tif 000006
【図５】
2008012098.tif 000007